(57)【要約】      （修正有）【課題】デジタル信号を直接音波に変換する場合であっても、不要輻射の発生が抑制されるデジタル駆動型ヘッドホンを提供する。【解決手段】デジタル駆動型ヘッドホン１は、一対の放音ユニット１０、２０と、一対の放音ユニット間に配線される信号線４０と、を有する。放音ユニットは、振動板と、振動板を音源からのデジタル信号で駆動する駆動部１３、２３と、を備える。一対の放音ユニットのうち、いずれか一方の放音ユニット１０は、信号線が挿通される磁性体１４と、音源からのデジタル信号を処理する信号処理回路１２２と、信号処理回路が配置される回路基板１２と、を備える。信号線は、信号処理回路から磁性体を介して、一対の放音ユニット間に配線され、磁性体は、回路基板の端部に配置される信号処理回路の出力部１２２ｂに隣接して配置される。【選択図】図３
2018067779.tif 000002
【特許請求の範囲】
【請求項１】
一対の放音ユニットと、
前記一対の放音ユニット間に配線される信号線と、
を有してなり、
前記放音ユニットは、
振動板と、
前記振動板を音源からのデジタル信号で駆動する駆動部と、
を備え、
前記一対の放音ユニットのうち、いずれか一方の放音ユニットは、
前記信号線が挿通される磁性体と、
前記音源からのデジタル信号を処理する信号処理回路と、
前記信号処理回路が配置される回路基板と、
を備え、
前記信号線は、前記信号処理回路から前記磁性体を介して、前記一対の放音ユニット間に配線され、
前記磁性体は、前記回路基板の端部に配置される前記信号処理回路の出力部に隣接して配置される、
ことを特徴とするデジタル駆動型ヘッドホン。
【請求項２】
前記一対の放音ユニットを連結する連結部材、
を備え、
前記出力部は、前記回路基板の端部のうち前記連結部材側の端部に配置される、
請求項１記載のデジタル駆動型ヘッドホン。
【請求項３】
前記駆動部は、
前記音源からのデジタル信号が印加される複数のボイスコイル、
を備え、
前記複数のボイスコイルが、前記振動板を駆動する、
請求項１記載のデジタル駆動型ヘッドホン。
【請求項４】
前記磁性体に対する前記信号線の巻数は、複数である、
請求項１記載のデジタル駆動型ヘッドホン。
【請求項５】
前記信号線は、複数の支線に分割され、
前記複数の支線ごとに対応する複数の前記磁性体を備える、
請求項１記載のデジタル駆動型ヘッドホン。
【請求項６】
前記放音ユニットは、
前記振動板と前記駆動部とが収納されるハウジング、
を備え、
前記ハウジングは、前記磁性体が収納される収納部、
を備える、
請求項１記載のデジタル駆動型ヘッドホン。
【請求項７】
前記一対の放音ユニットを連結する連結部材、
を備え、
前記収納部は、前記磁性体を備える前記放音ユニットの前記ハウジング内のうち、前記連結部材の近傍に配置される、
請求項６記載のデジタル駆動型ヘッドホン。
【請求項８】
前記ハウジングは、
前記駆動部が配置される空気室と、
前記収納部が配置される収納室と、
を備え、
前記空気室は、前記収納室と分離する、
請求項６記載のデジタル駆動型ヘッドホン。
【請求項９】
前記磁性体は、円筒状のフェライトコアである、
請求項１記載のデジタル駆動型ヘッドホン。
【請求項１０】
一対の放音ユニットと、
前記一対の放音ユニットを連結する連結部材と、
前記一対の放音ユニット間に配線される信号線と、
を有してなり、
前記放音ユニットは、
振動板と、
前記振動板を音源からのデジタル信号で駆動する駆動部と、
前記振動板と前記駆動部とが収納されるハウジングと、
を備え、
前記ハウジングは、
前記連結部材の軸部が挿入される挿入孔、
を備え、
前記一対の放音ユニットのうち、いずれか一方の放音ユニットは、
前記信号線が挿通される磁性体と、
前記音源からのデジタル信号を処理する信号処理回路と、
を備え、
前記磁性体は、前記軸部内に配置され、
前記信号線は、前記信号処理回路から前記磁性体を介して、前記一対の放音ユニット間に配線される、
ことを特徴とするデジタル駆動型ヘッドホン。
【発明の詳細な説明】
【技術分野】
【０００１】
本発明は、デジタル駆動型ヘッドホンに関する。
【背景技術】
【０００２】
ヘッドホンのうち、例えば、耳覆い型のヘッドホンは、ヘッドホンの使用者の頭部に装着されて、使用者が楽音再生機などからの楽音を聞くために使用される。ヘッドホンは、一対の放音ユニットと、両放音ユニットを連結する連結部材と、を有してなる。
【０００３】
各放音ユニットは、駆動ユニットと、駆動ユニットを収納するハウジングと、を備える。駆動ユニットは、例えば、楽音再生機などの音源からの電気信号（音声信号）を音波に変換して出力する。
【０００４】
従来、ヘッドホンの駆動ユニットに入力される電気信号は、アナログ信号である。駆動ユニットは、アナログ信号の強弱や、周波数に応じて音波を出力する。そのため、音源からの音声信号がデジタル信号のとき、デジタル信号は、楽音再生機などに内蔵されたデジタル−アナログ変換装置によりアナログ信号に変換されて、ヘッドホンに伝達されていた。
【０００５】
近年、デジタル信号をアナログ信号に変換することなく、デジタル信号に応じて所望の音波を出力可能な駆動ユニット（以下「デジタル駆動ユニット」という。）が提案されている（例えば、特許文献１参照）。
【０００６】
デジタル駆動ユニットは、ダイナミック型の駆動ユニットで、１つの振動板と、複数のボイスコイルと、を備える。各ボイスコイルには、個別のデジタル信号（以下「処理信号」という。）が印加される。処理信号は、信号処理用の回路（以下「信号処理回路」という。）により生成される。特許文献１に開示された駆動ユニットは、ボイスコイルが処理信号により駆動（振動）することにより、高域から低域まで高効率で音声信号を再生できる。
【０００７】
デジタル駆動ユニットと信号処理回路とをヘッドホンに組み込むことにより、デジタル信号により駆動ユニットの駆動部が駆動するヘッドホン（以下「デジタル駆動型ヘッドホン」という。）が構成される。
【０００８】
ヘッドホンの中には、音源に接続されるヘッドホンケーブルが、一方の放音ユニットにのみ接続されたヘッドホンがある（例えば、特許文献２参照）。特許文献２に開示されたヘッドホンは、一方の放音ユニットから他方の放音ユニットへ音声信号を伝達する信号線（以下「渡りコード」という。）を備える。渡りコードは、一方の放音ユニットの内部と、他方の放音ユニットの内部と、に接続される。渡りコードは、連結部材の内部に配線される。
【先行技術文献】
【特許文献】
【０００９】
【特許文献１】特開２０１２−２２７５８９号公報
【特許文献２】特開２０１０−０５０６４７号公報
【発明の概要】
【発明が解決しようとする課題】
【００１０】
渡りコードを要するデジタル駆動型ヘッドホンにおいて、信号処理回路は、例えば、一方の放音ユニットのハウジング内に配置される。信号処理回路により生成された処理信号は、信号処理回路からデジタル駆動ユニットに伝送される。このとき、処理信号は、渡りコードを介して、信号処理回路が配置されない放音ユニットのデジタル駆動ユニットにも伝送される。
【００１１】
デジタル信号の信号波形は矩形状であり、複数次の周波数の組み合わせ（加算）からなる。そのため、デジタル信号は、高調波成分（高周波）を含む。これらの高調波成分は、処理信号が伝送されるヘッドホンの内部配線から不要輻射（不要放射）として放出される場合がある。また、デジタル駆動型ヘッドホンは、高速に出力されたデジタル信号の組み合わせにより振動板を駆動し、音声を再生する。そのため、デジタル信号に含まれる高調波成分のパワーは、デジタル信号の総和が増加するに連れて大きくなる。その結果、不要輻射は発生しやすくなる。特に、渡りコードは、使用者の頭部を跨ぐように長く配線されるため、アンテナとして機能しやすく、不要輻射を発生させやすい。不要輻射は、無線通信や他の電気製品などに悪影響を与える。そのため、その放射量は、各国において制限される。
【００１２】
なお、従来のヘッドホンにおいて、渡りコードに伝達される信号は可聴帯域である２０ｋＨｚ（ハイレゾ音源において４０ｋＨｚ近辺）のアナログ信号である。そのため、従来のヘッドホンにおいて、デジタル駆動型ヘッドホンのような高調波による不要輻射は、発生しない。
【００１３】
不要輻射の発生は、例えば、信号処理回路に高調波成分を抑制させるフィルタなどの電子部品を組み込むことで改善される。しかし、電子部品が持つ直流抵抗成分や容量成分は、デジタル駆動ユニットから出力される音波の音質（周波数特性や歪特性など）に影響を与える。
【００１４】
処理信号が伝送される経路にフィルタ成分が存在すると、デジタル信号を構成する矩形波の立ち上がりに遅延が発生する。この遅延は、高域側の再生音に影響する。その結果、デジタル駆動ユニットから出力される音波の高域側の再現性が低下する。
【００１５】
不要輻射の発生を効果的に抑制するためには、大型の電子部品をハウジング内の回路基板に組み込む必要がある。しかし、従来からヘッドホンには可動部が多く、かつ、優れた意匠性が求められる。そのため、ハウジング内において、部品の配置には点数、位置ともに制限があり、大型の電子部品を組み込むためのスペースの確保は、難しい。
【００１６】
不要輻射の発生は、例えば、放音ユニットのハウジングや連結部材などを導電性の金属で作製し、ハウジングや連結部材などにより電磁シールドを構成することでも改善され得る。しかし、前述のとおり、ヘッドホンは、多くの可動部を備える。そのため、ヘッドホンの全体を漏れなく覆う電磁シールドの実現は、ヘッドホンの構成上、技術的に難しい。ハウジングや連結部材などを金属で作製し、電磁シールドを構成したとしても、ヘッドホンの重量が増加し、装着感が悪化する。さらに、無線伝送を用いたデジタル駆動型ヘッドホンでは、電磁シールドにより、アンテナの配置手段および位置が限定されるため、意匠性が損なわれる。
【００１７】
このように、デジタル駆動型ヘッドホンには、従来のアナログ信号により駆動部が駆動するアナログヘッドホンにおいては生じ難い、独自の課題が存在する。
【００１８】
本発明は、以上のような従来技術の問題点を解消するためになされたもので、不要輻射の発生が抑制されたデジタル駆動型ヘッドホンを提供することを目的とする。
【課題を解決するための手段】
【００１９】
本発明は、デジタル駆動型ヘッドホンであって、一対の放音ユニットと、一対の放音ユニット間に配線される信号線と、を有してなり、放音ユニットは、振動板と、振動板を音源からのデジタル信号で駆動する駆動部と、を備え、一対の放音ユニットのうち、いずれか一方の放音ユニットは、信号線が挿通される磁性体と、音源からのデジタル信号を処理する信号処理回路と、信号処理回路が配置される回路基板と、を備え、信号線は、信号処理回路から磁性体を介して、一対の放音ユニット間に配線され、磁性体は、回路基板の端部に配置される信号処理回路の出力部に隣接して配置される、ことを特徴とする。
【発明の効果】
【００２０】
本発明によれば、デジタル信号を直接音波に変換する場合であっても、不要輻射の発生を抑制することができる。
【図面の簡単な説明】
【００２１】
【図１】本発明にかかるデジタル駆動型ヘッドホンの実施の形態を示す斜視図である。
【図２】図１のデジタル駆動型ヘッドホンの右側面図である。
【図３】図１のデジタル駆動型ヘッドホンの機能ブロック図である。
【図４】図２のデジタル駆動型ヘッドホンが備える左放音ユニットのＡＡ線断面図である。
【図５】図４の左放音ユニットが備える左第２ハウジングの左側面図である。
【図６】図５の左第２ハウジングを部分的に拡大した斜視図である。
【図７】図４の左放音ユニットが備える信号線と磁性体との拡大図である。
【図８】本発明にかかるデジタル駆動型ヘッドホンの別の実施の形態における左第２ハウジングの左側面図である。
【発明を実施するための形態】
【００２２】
以下、図面を参照しながら、本発明にかかるデジタル駆動型ヘッドホンの実施の形態について説明する。
【００２３】
●デジタル駆動型ヘッドホンの構成
図１は、本発明にかかるデジタル駆動型ヘッドホンの実施の形態を示す斜視図である。
【００２４】
デジタル駆動型ヘッドホン（以下「ヘッドホン」という。）１は、ヘッドホン１の使用者の頭部に装着されて、例えば、携帯型音楽再生機（不図示）などの音源Ｓ（図３参照）からのデジタル信号（音声信号）に応じた音波を出力する。ヘッドホン１は、例えば、ＵＳＢ（Universal Serial Bus）ケーブル（不図示）を介して音源からの音声信号が入力される有線式のヘッドホンである。
【００２５】
なお、本発明にかかるヘッドホンは、例えば、無線伝送を用いて音源から音声信号を受信する無線式のヘッドホンでもよい。
【００２６】
以下の説明において、ヘッドホン１の上下左右前後の各方向は、ヘッドホン１が装着された使用者の上下左右前後の各方向と同じである。すなわち、例えば、ヘッドホン１の左右の放音ユニットのうち、左の放音ユニットは使用者の左耳に装着される左放音ユニット１０（後述）である。
【００２７】
ヘッドホン１は、左放音ユニット１０と、右放音ユニット２０と、連結部材３０と、信号線４０（図３参照）と、を有してなる。左放音ユニット１０は、右放音ユニット２０と共に一対の放音ユニットを構成する。
【００２８】
図２は、ヘッドホン１の右側面図である。
図３は、ヘッドホン１の機能ブロック図である。
図４は、左放音ユニット１０の図２のＡＡ線断面図である。
【００２９】
左放音ユニット１０は、使用者の左耳の周囲に装着されて、音源からの音声信号に応じた音波を出力する。左放音ユニット１０は、左ハウジング１１と、回路基板１２と、左デジタル駆動ユニット（以下「左駆動ユニット」という。）１３と、磁性体１４と、左信号線１５と、左イヤパッド１６と、を備える。
【００３０】
左ハウジング１１は、回路基板１２と、左駆動ユニット１３と、磁性体１４と、左信号線１５と、を収納する。左ハウジング１１は、バッフル板１１１と、左第１ハウジング１１２と、左第２ハウジング１１３と、第１収納部１１４と、第２収納部１１５と、２つの軸孔１１ｈ１、１１ｈ２と、を備える。
【００３１】
バッフル板１１１は、左駆動ユニット１３を保持する。左第１ハウジング１１２は、バッフル板１１１と共に、左駆動ユニット１３を収納する空気室Ａ１を形成する。左第２ハウジング１１３は、左第１ハウジング１１２と共に、回路基板１２と磁性体１４とを収納する収納室Ａ２を形成する。
【００３２】
図５は、左第２ハウジング１１３の左側面図である。
同図は、左放音ユニット１０を左第１ハウジング１１２と左第２ハウジング１１３との間で分離した状態において、左第２ハウジング１１３側を右方（図４の紙面右方）から見た状態を示す。同図は、信号線４０の一部の図示を省略している。
【００３３】
第１収納部１１４は、後述する第１磁性体１４１を収納する。第１収納部１１４は、左第２ハウジング１１３の内側（収納室Ａ２内）の上部に配置される。第１収納部１１４は、例えば、一対のリブにより構成される。
【００３４】
第２収納部１１５は、後述する第２磁性体１４２を収納する。第２収納部１１５は、左第２ハウジング１１３の内側（収納室Ａ２内）の上部に配置される。第２収納部１１５は、例えば、一対のリブにより構成される。
【００３５】
２つの軸孔１１ｈ１、１１ｈ２は、後述する左ハンガー３１の軸部３１１、３１２が嵌められる孔である。２つの軸孔１１ｈ１、１１ｈ２は、左第２ハウジング１１３の前部と後部とに配置される。
【００３６】
図３と図４とに戻る。
回路基板１２は、入力部１２１と、信号処理回路１２２と、を備える。入力部１２１は、例えば、ＵＳＢ端子などのデジタル信号用の端子である。音源Ｓからの音声信号は、例えば、ＵＳＢケーブルを介して入力部１２１に入力される。入力部１２１に入力される音声信号は、デジタル信号である。信号処理回路１２２は、入力部１２１に入力された音声信号をデジタル信号の状態で処理し、後述する振動板１３３を駆動するための信号を生成する。信号処理回路１２２が処理した後の信号（以下「処理信号」という。）は、左信号線１５を介して左駆動ユニット１３に伝送されると共に、信号線４０を介して後述する右駆動ユニット２３に伝送される。処理信号は、例えば、音声信号にパルス密度変調（ＰＤＭ：pulse-density modulation）処理を施したデジタル信号である。回路基板１２は、左第２ハウジング１１３の内側に取り付けられる。信号処理回路１２２は、入力端子１２２ａと出力端子１２２ｂとを備える。入力端子１２２ａは、入力部１２１からの音声信号が入力される端子である。出力端子１２２ｂは、処理信号を左駆動ユニット１３と後述する右駆動ユニット２３とに出力する端子である。出力端子１２２ｂは、回路基板１１の端部（例えば、上端部）に配置される。
【００３７】
左駆動ユニット１３は、デジタル信号である処理信号を直接的に音波に変換して出力する。左駆動ユニット１３は、ユニットケース１３１と、駆動部１３２と、振動板１３３と、を備える。
【００３８】
ユニットケース１３１は、駆動部１３２と振動板１３３とを収納する。
【００３９】
駆動部１３２は、処理信号に応じて駆動（振動）することで振動板１３３を駆動（振動）させる。駆動部１３２は、磁気回路１３２ａと、複数（例えば、４つ）のボイスコイル１３２ｂと、を備える。磁気回路１３２ａは、磁気ギャップを備え、磁気ギャップ内に磁束を発生させる。ボイスコイル１３２ｂは、処理信号に応じて駆動する。処理信号は、矩形波から構成された信号であり、各ボイスコイル１３２ｂそれぞれに個別に印加される。
【００４０】
振動板１３３は、ボイスコイル１３２ｂの駆動（振動）に応じて駆動（振動）して、音波を発生させる。振動板１３３は、ユニットケース１３１に振動可能に取り付けられる。
【００４１】
ボイスコイル１３２ｂは、振動板１３３に取り付けられる。ボイスコイル１３２ｂは、磁気回路１３２ａに生じる磁束を横切るように磁気ギャップ内に配置される。ボイスコイル１３２ｂに印加される処理信号により発生する電磁力により、ボイスコイル１３２ｂは、磁気回路１３２ａに対して振動する。
【００４２】
なお、本発明にかかるヘッドホンのボイスコイルの数は、「４」に限定されない。
【００４３】
図６は、図５の状態における左第２ハウジング１１３の上部を拡大した斜視図である。
同図は、回路基板１２の上部と、左第２ハウジング１１３の上部と、磁性体１４と、信号線４０の一部と、を示す。
【００４４】
磁性体１４は、信号線４０に流れる処理信号（矩形波）から所定の周波数以上の高周波成分（高次高調波）を除去する。本実施の形態において左放音ユニット１０は、第１磁性体１４１と第２磁性体１４２との２つの磁性体を備える。所定の周波数については、後述する。
【００４５】
第１磁性体１４１は、後述する第１支線４１に対応する円筒状のフェライトコアである。第１磁性体１４１は、挿通孔１４１ｈを備える。挿通孔１４１ｈは、第１磁性体１４１の軸方向の中央に配置される。第１磁性体１４１は、第１収納部１１４に収納される。第１磁性体１４１の機能については、後述する。
【００４６】
第２磁性体１４２は、後述する第２支線４２に対応する円筒状のフェライトコアである。第２磁性体１４２は、挿通孔１４２ｈを備える。挿通孔１４２ｈは、第２磁性体１４２の軸方向の中央に配置される。第２磁性体１４２は、第２収納部１１５に収納される。第２磁性体１４２の機能については、後述する。
【００４７】
第１収納部１１４と第２収納部１１５とは、収納室Ａ２内に配置される。収納室Ａ２は、左第１ハウジング１１２により、左駆動ユニット１３が収納される空気室Ａ１と分離される。そのため、第１磁性体１４１と第２磁性体１４２とは、左駆動ユニット１３が備える磁気回路１３２ａの影響を受けない。
【００４８】
図１に戻る。
左イヤパッド１６は、左ハウジング１１と使用者の頭部との間の緩衝材である。左イヤパッド１６は、左ハウジング１１に取り付けられる。
【００４９】
右放音ユニット２０は、使用者の右耳の周囲に装着されて、音源からの音声信号に応じた音波を出力する。右放音ユニット２０の構成は、回路基板（入力部、信号処理回路）、磁性体と、左信号線と、を備えない点を除いて、左放音ユニット１０の構成と同じである。すなわち、右放音ユニット２０は、右ハウジング２１と、右デジタル駆動ユニット（以下「右駆動ユニット」という。）２３（図３参照）と、右イヤパッド２６と、を備える。
【００５０】
連結部材３０は、一対の放音ユニット１０、２０を連結する。連結部材３０は、使用者の頭部の形状に沿うアーチ状である。連結部材３０は、左ハンガー３１と、左スライド機構３２と、ヘッドバンド３３と、右スライド機構３４と、右ハンガー３５と、を備える。
【００５１】
左ハンガー３１は、左放音ユニット１０を揺動可能に支持する。左ハンガー３１は、中空で、下部が前後方向に二股に分かれた逆Ｙの字状である。左ハンガー３１は、一対の軸部３１１、３１２（図４参照）を備える。一対の軸部３１１、３１２は、左第２ハウジング１１３の軸孔１１ｈ１、１１ｈ２に回転可能に嵌め込まれる。
【００５２】
左スライド機構３２は、連結部材３０の長手方向に沿ってスライドして、左放音ユニット１０とヘッドバンド３３との間の距離を変更する。
【００５３】
ヘッドバンド３３は、左スライド機構３２と右スライド機構３４とを連結する。ヘッドバンド３３は、例えば、所定の剛性と弾性とを有する合成樹脂製である。ヘッドバンド３３は、弾性部材（不図示）を備える。弾性部材は、例えば、板ばねである。弾性部材は、ヘッドバンド３３の内部に配置される。弾性部材の復元力により、左放音ユニット１０と右放音ユニット２０とは、互いに近づく方向に付勢される。
【００５４】
右スライド機構３４は、連結部材３０の長手方向に沿ってスライドすることにより、右放音ユニット２０とヘッドバンド３３との間の距離を変更する。
【００５５】
右ハンガー３５は、右放音ユニット２０を揺動可能に支持する。右ハンガー３５の構成は、左ハンガー３１の構成と同じである。
【００５６】
次に、信号線４０について、図３と図５とを参照しながら説明する。
【００５７】
信号線４０は、左放音ユニット１０の信号処理回路１２２からの処理信号を右放音ユニット２０の右駆動ユニット２３のボイスコイル（不図示）に伝送する。信号線４０は、左放音ユニット１０と右放音ユニット２０との間に配線される「渡りコード」である。すなわち、信号線４０は、左放音ユニット１０内の信号処理回路１２２から磁性体１４を介して、右駆動ユニット２３のボイスコイル（不図示）に接続される。信号線４０は、複数のオーディオ系統線を備える。
【００５８】
オーディオ系統線は、右駆動ユニット２３の４つのボイスコイルそれぞれに処理信号を伝送する。１つのボイスコイルに必要なオーディオ系統線は、正極伝送線と負極伝送線との２本である。
【００５９】
信号線４０は、第１支線４１と第２支線４２とに分割される。第１支線４１は、２つのボイスコイルに対応する４本のオーディオ系統線を束ねて構成される。第２支線４２は、残り２つのボイスコイルに対応する４本のオーディオ系統線を束ねて構成される。すなわち、信号線４０は、２つの支線４１、４２に分割される。
【００６０】
なお、各ボイスコイルに対応する処理信号の正極伝送線と負極伝送線とは、それぞれ撚り合わされて４つの撚線を構成してもよい。この場合、４つの撚線のうち、２つの撚線は第１信号線を構成し、残りの２つの撚線は第２信号線を構成する。
【００６１】
●信号線４０の配線
次に信号線４０の配線について、説明する。
【００６２】
第１支線４１と第２支線４２とは、左放音ユニット１０の信号処理回路１２２と、右放音ユニット２０の右駆動ユニット２３の駆動部と、に接続される。第１支線４１と第２支線４２とは、左第２ハウジング１１３（第２空気室Ａ２）、連結部材３０、右ハウジング２１、それぞれの内部に配線される。
【００６３】
図７は、第１支線４１と第１磁性体１４１との拡大斜視図である。
【００６４】
第１支線４１は、図５に示されるように、回路基板１２の信号処理回路１２２と、左ハンガー３１の軸部３１１と、の間において、第１磁性体１４１に巻き回される。第１磁性体１４１に対する第１支線４１の巻数は、「２」（２ターン）である。つまり、第１支線４１は、第１磁性体１４１の挿通孔１４１ｈに２回挿通される。第１磁性体１４１は、第１支線４１が巻き回された状態で信号処理回路１２２の出力端子１２２ｂの直近に隣接して配置される。
【００６５】
第２支線４２は、図５に示されるように、回路基板１２の信号処理回路１２２と、左ハンガー３１の軸部３１２と、の間において、第２磁性体１４２に巻き回される。第２磁性体１４２に対する第２支線４２の巻数は、「２」（２ターン）である。つまり、第２支線４２は、第２磁性体１４２の挿通孔１４２ｈに２回挿通される。第２磁性体１４２は、第２支線４２が巻き回された状態で信号処理回路１２２の出力端子１２２ｂの直近に隣接して配置される。
【００６６】
ここで、「磁性体１４が信号処理回路１２２の出力端子１２２ｂの直近に隣接して配置される」とは、磁性体１４が信号処理回路１２２の出力端子１２２ｂに接した状態で配置される場合に限らず、磁性体１４が信号処理回路１２２の近傍に配置される場合も含む。
【００６７】
なお、第１磁性体１４１と第２磁性体１４２とが円筒状であるため、第１支線４１や第２支線４２は、容易に、かつ、確実に第１磁性体１４１と第２磁性体１４２とに挿通される。
【００６８】
また、第１収納部１１４と第２収納部１１５とは、図５に示されるように、左ハウジング１１内のうち、第２ハウジング１１３の上部、すなわち、連結部材３０の近傍に配置される。第１支線４１が配線される軸部３１１と、第２支線４２が配線される軸部３１２とは、それぞれ左ハウジング１１の前部と後部とに配置される。信号処理回路１２２の出力端子１２２ｂは、回路基板１２の上端部、すなわち連結部材３０の近傍に配置される。そのため、第１支線４１は、第１収納部１１４と軸部３１１との間において、電子部品を避けつつ、過剰な負荷を受けることなく配線される。第２支線４２は、第２収納部１１５と軸部３１２との間において、電子部品を避けつつ、過剰な負荷を受けることなく配線される。また、第１支線４１と第２支線４２とは、左ハウジング１１内において、一様に配線される。その結果、第１支線４１と第２支線４２のうち、第１磁性体１４１と第２磁性体１４２とに巻き回される部分は、負荷を受けない。そのため、第１支線４１や第２支線４２には、断線などの不具合が生じない。
【００６９】
●ヘッドホン１の動作
次に、ヘッドホン１の動作について、説明する。
【００７０】
一般的に、磁性体と、磁性体に通された導線とは、コイル（インダクタ）を構成する。このコイル（インダクタ）のインピーダンスは、高周波になるほど高い。そのため、コイル（インダクタ）は、導線を流れる電流に対してローパスフィルタとして機能する。すなわち、導線を流れる電流の高周波成分は、減衰する。このコイル（インダクタ）のカットオフ周波数は、磁性体の種類・大きさ・形状や、導線が磁性体に通される回数（ターン数）などにより変化する。また、導線を流れる電流の高周波成分は、磁性体の磁化に伴う磁気損失により、熱として消費されて減衰する。
【００７１】
前述のとおり、信号処理回路１２２から出力される処理信号は、複数次の周波数の組み合わせからなる、すなわち高調波成分を含むデジタル信号である。処理信号が伝送される第１支線４１は第１磁性体１４１に挿通され、処理信号が伝送される第２支線４２は第２磁性体１４２に挿通される。そのため、第１支線４１と第２支線４２とに伝送される処理信号の高周波成分は、第１磁性体１４１と第２磁性体１４２とに巻き回された部分において減衰する。ここで、減衰される高周波成分は、不要輻射される高周波成分であるメガヘルツ帯域の周波数成分であり、ヘッドホン１の特性に影響を与える帯域（例えば、２０ｋＨｚ以下、ハイレゾ音源であれば４０ｋＨｚ近傍）の周波数成分ではない。そのため、この帯域の周波数成分が減衰しても、ヘッドホン１の周波数特性への影響は、少ない。その結果、信号線（渡りコード）４０からの不要輻射は、ヘッドホン１の周波数特性に影響を与えることなく抑制される。すなわち、本発明にかかるヘッドホンは、信号線４０に磁性体１４を取り付けるという簡易な構成で不要輻射の発生を抑制する。
【００７２】
なお、第１支線４１のターン数と第２支線４２のターン数とは、「２」に限定されない。すなわち、例えば、第１支線４１のターン数と第２支線４２のターン数とは、減衰させたい周波数帯域に合わせて、「１」や「３」などでもよい。
【００７３】
●まとめ
以上説明した実施の形態によれば、左放音ユニット１０は、一対の放音ユニット１０、２０間に配線される信号線（渡りコード）４０が挿通される磁性体（フェライトコア）１４を備える。磁性体１４は、信号処理回路１２２の出力端子１２２ｂの直近に配置される。そのため、信号線４０に伝送される処理信号（デジタル信号）の高周波成分は、磁性体１４に挿通された部分において減衰する。その結果、信号線４０には、メガヘルツ帯域の高次高調波がカットされた処理信号が伝送されるため、信号線４０からの不要輻射は抑制される。すなわち、本発明にかかるヘッドホンは、信号線４０に磁性体１４を取り付けるという簡易な構成で不要輻射の発生を抑制する。このように、磁性体１４が信号処理回路１２２の出力端子１２２ｂの直近に隣接して配置されることで、これらが隣接して配置されていないときと比べて、処理信号の高調波成分の減衰効果は高まる。
【００７４】
また、信号線４０は、第１支線４１と第２支線４２とに分割される。そのため、第１支線４１に対応する第１磁性体１４１と第２支線４２に対応する第２磁性体１４２は、小型化が可能である。また、第１支線４１の第１磁性体１４１への取り付けと、第２支線４２の第２磁性体１４２への取り付けとは、容易になる。
【００７５】
左放音ユニット１０の左ハウジング１１は、第１磁性体１４１を収納する第１収納部１１４と、第２磁性体１４２を収納する第２収納部１１５と、を備える。すなわち、第１磁性体１４１と第２磁性体１４２とは、第１収納部１１４と第２収納部１１５とに個別に収納される。そのため、第１磁性体１４１と第２磁性体１４２とは、左ハウジング１１内で相互に干渉しない。
【００７６】
第１収納部１１４と第２収納部１１５とは、左ハウジング１１内のうち、連結部材３０の近傍に配置される。そのため、第１支線４１と第２支線４２とは、左ハウジング１１内において、折れ曲がりなどの負荷を受けない。その結果、信号線４０のうち、磁性体１４に巻き回される部分は、断線などの不具合を生じない。
【００７７】
左駆動ユニット１３が配置される空気室Ａ１は、磁性体１４が配置される収納室Ａ２と分離される。そのため、右放音ユニット２０に磁性体１４が配置されなくとも、左放音ユニット１０と右放音ユニット２０とは、音響的な不均一を生じない（音響的に均一である）。
【００７８】
なお、磁性体は、処理信号から所定の高周波成分を減衰可能であれば、フェライトコアに限定されない。
【００７９】
また、以上説明した実施の形態は、ヘッドホン１が２つの磁性体（第１磁性体１４１と第２磁性体１４２）を備える構成であった。しかし、本発明において、ヘッドホンが備える磁性体の数は、１つでもよい。すなわち、例えば、第１支線と第２支線とは、１つの磁性体に共通して巻き回されてもよい。
【００８０】
さらに、以上説明した実施の形態は、信号線４０が２つの支線に分割されて、それぞれの支線が対応する磁性体に巻き回される構成であった。しかし、本発明において、信号線は、複数の支線に分割されなくてもよく、あるいは、３以上の支線に分割されてもよい。
【００８１】
さらにまた、第１磁性体と第２磁性体とは、左ハンガーの軸部に配置されてもよい。
【００８２】
図８は、本発明にかかるデジタル駆動型ヘッドホンの別の実施の形態における左第２ハウジングの左側面図である。
第１磁性体１４１ａは、左ハンガー３０ａの軸部３１１ａ内に配置される。第２磁性体１４２ａは、左ハンガー３０ａの軸部３１２ａ内に配置される。すなわち、磁性体１４ａ（１４１ａ、１４２ａ）は、左ハウジング１１ａや収納室Ａ２ａの出口（第１支線４１ａと第２支線４２ａとが左ハウジング１１ａや収納室Ａ２ａから左ハンガー３０ａに配線される部位）に配置される。このとき、軸部３１１ａは第１磁性体１４１ａの収納部として機能し、軸部３１２ａは第２磁性体１４２ａの収納部として機能する。信号処理回路（不図示）は、回路基板１２ａの中央部付近に配置される。信号処理回路の出力端子（不図示）は、例えば、信号処理回路の下側（図８の紙面下側）に配置（配線）される。
【００８３】
このような構成は、特に、左ハウジング１１ａの全体や収納室Ａ２ａが電磁的にシールドされている場合に、有効な構成である。すなわち、磁性体１４ａが左ハウジング１１ａや収納室Ａ２ａの出口に配置されることで、処理信号の高次高調波は左ハウジング１１ａなどの外部に伝送されない。そのため、信号線４０ａからの不要輻射の発生が予防される。また、軸部３１１ａ、３１２ａと磁性体１４ａとが一体的に構成されるため、デジタル駆動型ヘッドホン１ａのデザイン面や小型化に対する影響が無くなり、デジタル駆動型ヘッドホン１ａの意匠性が向上する。
【符号の説明】
【００８４】
１        デジタル駆動型ヘッドホン
１０      左放音ユニット
１１      左ハウジング
１１４    第１収納部（収納部）
１１５    第２収納部（収納部）
１２      回路基板
１２２    信号処理回路
１３      左駆動ユニット
１４      磁性体
１４１    第１磁性体
１４２    第２磁性体
２０      右放音ユニット
２３      右駆動ユニット
３０      連結部材
４０      信号線
４１      第１支線
４２      第２支線
【図１】
2018067779.tif 000003
【図２】
2018067779.tif 000004
【図３】
2018067779.tif 000005
【図４】
2018067779.tif 000006
【図５】
2018067779.tif 000007
【図６】
2018067779.tif 000008
【図７】
2018067779.tif 000009
【図８】
2018067779.tif 000010
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
一対の放音ユニットと、
前記一対の放音ユニット間に配線される信号線と、
を有してなり、
前記放音ユニットは、
振動板と、
前記振動板を音源からのデジタル信号で駆動する駆動部と、
を備え、
前記一対の放音ユニットのうち、いずれか一方の放音ユニットは、
前記信号線が挿通される磁性体と、
前記音源からのデジタル信号を処理する信号処理回路と、
前記信号処理回路が配置される回路基板と、
を備え、
前記信号線は、前記信号処理回路から前記磁性体を介して、前記一対の放音ユニット間に配線され、
前記磁性体は、前記回路基板の端部に配置される前記信号処理回路の出力部に隣接して配置される、
ことを特徴とするデジタル駆動型ヘッドホン。
【請求項２】
前記一対の放音ユニットを連結する連結部材、
を備え、
前記出力部は、前記回路基板の端部のうち前記連結部材側の端部に配置される、
請求項１記載のデジタル駆動型ヘッドホン。
【請求項３】
前記駆動部は、
前記音源からのデジタル信号が印加される複数のボイスコイル、
を備え、
前記複数のボイスコイルが、前記振動板を駆動する、
請求項１記載のデジタル駆動型ヘッドホン。
【請求項４】
前記磁性体に対する前記信号線の巻数は、複数である、
請求項１記載のデジタル駆動型ヘッドホン。
【請求項５】
前記信号線は、複数の支線に分割され、
前記複数の支線ごとに対応する複数の前記磁性体を備える、
請求項１記載のデジタル駆動型ヘッドホン。
【請求項６】
前記放音ユニットは、
前記振動板と前記駆動部とが収納されるハウジング、
を備え、
前記ハウジングは、前記磁性体が収納される収納部、
を備える、
請求項１記載のデジタル駆動型ヘッドホン。
【請求項７】
前記一対の放音ユニットを連結する連結部材、
を備え、
前記収納部は、前記磁性体を備える前記放音ユニットの前記ハウジング内のうち、前記連結部材の近傍に配置される、
請求項６記載のデジタル駆動型ヘッドホン。
【請求項８】
前記ハウジングは、
前記駆動部が配置される空気室と、
前記収納部が配置される収納室と、
を備え、
前記空気室は、前記収納室と分離される、
請求項６記載のデジタル駆動型ヘッドホン。
【請求項９】
前記磁性体は、円筒状のフェライトコアである、
請求項１記載のデジタル駆動型ヘッドホン。
【請求項１０】
一対の放音ユニットと、
前記一対の放音ユニットを連結する連結部材と、
前記一対の放音ユニット間に配線される信号線と、
を有してなり、
前記放音ユニットは、
振動板と、
前記振動板を音源からのデジタル信号で駆動する駆動部と、
前記振動板と前記駆動部とが収納されるハウジングと、
を備え、
前記ハウジングは、
前記連結部材の軸部が挿入される軸孔、
を備え、
前記一対の放音ユニットのうち、いずれか一方の放音ユニットは、
前記信号線が挿通される磁性体と、
前記音源からのデジタル信号を処理する信号処理回路と、
を備え、
前記磁性体は、前記軸部内に配置され、
前記信号線は、前記信号処理回路から前記磁性体を介して、前記一対の放音ユニット間に配線される、
ことを特徴とするデジタル駆動型ヘッドホン。
【請求項１１】
第１放音ユニットと、
第２放音ユニットと、
信号線と、
を有してなり、
前記第１放音ユニットは、
前記信号線が挿通される少なくとも１の磁性体と、
音源からのデジタル信号を処理する信号処理回路と、
前記信号処理回路が配置される回路基板と、
前記信号処理回路により処理されたデジタル信号に応じて駆動する駆動部と、
前記駆動部の駆動に応じて振動する振動板と、
を備え、
前記信号処理回路は、
前記回路基板の端部に配置される出力部、
を備え、
前記信号線は、前記少なくとも１の磁性体に挿通され、前記出力部と前記第２放音ユニットとに接続され、
前記少なくとも１の磁性体は、前記出力部に隣接して配置される、
ことを特徴とするデジタル駆動型ヘッドホン。
【請求項１２】
前記駆動部は、
前記信号処理回路により処理されたデジタル信号が印加される複数のボイスコイル、
を備え、
前記複数のボイスコイルが、前記振動板を駆動する、
請求項１１記載のデジタル駆動型ヘッドホン。
【請求項１３】
前記信号線は、前記少なくとも１の磁性体に巻き回される、
請求項１１記載のデジタル駆動型ヘッドホン。
【請求項１４】
前記信号線は、複数の支線に分割される、
請求項１１記載のデジタル駆動型ヘッドホン。
【請求項１５】
前記少なくとも１の磁性体の数は、複数である、
請求項１２記載のデジタル駆動型ヘッドホン。
【請求項１６】
前記複数の支線は、
第１支線と、
第２支線と、
を含み、
前記複数の磁性体は、
前記第１支線が挿通される第１磁性体と、
前記第２支線が挿通される第２磁性体と、
を含む、
請求項１２記載のデジタル駆動型ヘッドホン。
【請求項１７】
第１放音ユニットと、
第２放音ユニットと、
前記第１放音ユニットと前記第２放音ユニットとを連結する連結部材と、
信号線と、
を有してなり、
前記第１放音ユニットは、
前記信号線が挿通される磁性体と、
音源からのデジタル信号を処理する信号処理回路と、
前記信号処理回路により処理されたデジタル信号で駆動する駆動部と、
前記駆動部の駆動に応じて振動する振動板と、
前記振動板と前記駆動部とが収納されるハウジングと、
を備え、
前記連結部材は、
軸部、
を備え、
前記ハウジングは、
前記軸部が挿入される軸孔、
を備え、
前記磁性体は、前記軸部内に配置され、
前記信号線は、前記磁性体に挿通され、前記信号処理回路と前記第２放音ユニットとの間に接続される、
ことを特徴とするデジタル駆動型ヘッドホン。
【手続補正２】
【補正対象書類名】明細書
【補正対象項目名】００４５
【補正方法】変更
【補正の内容】
【００４５】
第１磁性体１４１は、後述する第１支線４１に対応する円筒状のフェライトコアである。第１磁性体１４１は、挿通孔１４１ｈを備える。挿通孔１４１ｈは、第１磁性体１４１の軸方向に沿って配置される。第１磁性体１４１は、第１収納部１１４に収納される。第１磁性体１４１の機能については、後述する。
【手続補正３】
【補正対象書類名】明細書
【補正対象項目名】００４６
【補正方法】変更
【補正の内容】
【００４６】
第２磁性体１４２は、後述する第２支線４２に対応する円筒状のフェライトコアである。第２磁性体１４２は、挿通孔１４２ｈを備える。挿通孔１４２ｈは、第２磁性体１４２の軸方向に沿って配置される。第２磁性体１４２は、第２収納部１１５に収納される。第２磁性体１４２の機能については、後述する。
【手続補正４】
【補正対象書類名】明細書
【補正対象項目名】００６２
【補正方法】変更
【補正の内容】
【００６２】
第１支線４１と第２支線４２とは、左放音ユニット１０の信号処理回路１２２と、右放音ユニット２０の右駆動ユニット２３の駆動部と、に接続される。第１支線４１と第２支線４２とは、左第２ハウジング１１３（収納室Ａ２）、連結部材３０、右ハウジング２１、それぞれの内部に配線される。
【手続補正５】
【補正対象書類名】明細書
【補正対象項目名】００６８
【補正方法】変更
【補正の内容】
【００６８】
また、第１収納部１１４と第２収納部１１５とは、図５に示されるように、左ハウジング１１内のうち、左第２ハウジング１１３の上部、すなわち、連結部材３０の近傍に配置される。第１支線４１が配線される軸部３１１と、第２支線４２が配線される軸部３１２とは、それぞれ左ハウジング１１の前部と後部とに配置される。信号処理回路１２２の出力端子１２２ｂは、回路基板１２の上端部、すなわち連結部材３０の近傍に配置される。そのため、第１支線４１は、第１収納部１１４と軸部３１１との間において、電子部品を避けつつ、過剰な負荷を受けることなく配線される。第２支線４２は、第２収納部１１５と軸部３１２との間において、電子部品を避けつつ、過剰な負荷を受けることなく配線される。また、第１支線４１と第２支線４２とは、左ハウジング１１内において、一様に配線される。その結果、第１支線４１と第２支線４２のうち、第１磁性体１４１と第２磁性体１４２とに巻き回される部分は、負荷を受けない。そのため、第１支線４１や第２支線４２には、断線などの不具合が生じない。
【手続補正６】
【補正対象書類名】図面
【補正対象項目名】図３
【補正方法】変更
【補正の内容】
【図３】
2018067779.tif 000011
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
一対の放音ユニットと、
前記一対の放音ユニット間に配線される信号線と、
を有してなり、
前記放音ユニットは、
振動板と、
前記振動板を音源からのデジタル信号で駆動する駆動部と、
を備え、
前記一対の放音ユニットのうち、いずれか一方の放音ユニットは、
前記信号線が挿通される磁性体と、
前記音源からのデジタル信号を処理する信号処理回路と、
前記信号処理回路が配置される回路基板と、
を備え、
前記信号線は、前記信号処理回路から前記磁性体を介して、前記一対の放音ユニット間に配線され、
前記磁性体は、前記回路基板の端部に配置される前記信号処理回路の出力部に隣接して配置される、
ことを特徴とするデジタル駆動型ヘッドホン。
【請求項２】
前記一対の放音ユニットを連結する連結部材、
を備え、
前記出力部は、前記回路基板の端部のうち前記連結部材側の端部に配置される、
請求項１記載のデジタル駆動型ヘッドホン。
【請求項３】
前記駆動部は、
前記音源からのデジタル信号が印加される複数のボイスコイル、
を備え、
前記複数のボイスコイルが、前記振動板を駆動する、
請求項１記載のデジタル駆動型ヘッドホン。
【請求項４】
前記磁性体に対する前記信号線の巻数は、複数である、
請求項１記載のデジタル駆動型ヘッドホン。
【請求項５】
前記信号線は、複数の支線に分割され、
前記複数の支線ごとに対応する複数の前記磁性体を備える、
請求項１記載のデジタル駆動型ヘッドホン。
【請求項６】
前記放音ユニットは、
前記振動板と前記駆動部とが収納されるハウジング、
を備え、
前記ハウジングは、前記磁性体が収納される収納部、
を備える、
請求項１記載のデジタル駆動型ヘッドホン。
【請求項７】
前記一対の放音ユニットを連結する連結部材、
を備え、
前記収納部は、前記磁性体を備える前記放音ユニットの前記ハウジング内のうち、前記連結部材の近傍に配置される、
請求項６記載のデジタル駆動型ヘッドホン。
【請求項８】
前記ハウジングは、
前記駆動部が配置される空気室と、
前記収納部が配置される収納室と、
を備え、
前記空気室は、前記収納室と分離される、
請求項６記載のデジタル駆動型ヘッドホン。
【請求項９】
前記磁性体は、円筒状のフェライトコアである、
請求項１記載のデジタル駆動型ヘッドホン。
【請求項１０】
一対の放音ユニットと、
前記一対の放音ユニットを連結する連結部材と、
前記一対の放音ユニット間に配線される信号線と、
を有してなり、
前記放音ユニットは、
振動板と、
前記振動板を音源からのデジタル信号で駆動する駆動部と、
前記振動板と前記駆動部とが収納されるハウジングと、
を備え、
前記ハウジングは、
前記連結部材の軸部が挿入される軸孔、
を備え、
前記一対の放音ユニットのうち、いずれか一方の放音ユニットは、
前記信号線が挿通される磁性体と、
前記音源からのデジタル信号を処理する信号処理回路と、
を備え、
前記磁性体は、前記軸部内に配置され、
前記信号線は、前記信号処理回路から前記磁性体を介して、前記一対の放音ユニット間に配線される、
ことを特徴とするデジタル駆動型ヘッドホン。
【請求項１１】
第１放音ユニットと、
第２放音ユニットと、
信号線と、
を有してなり、
前記第１放音ユニットは、
前記信号線が挿通される少なくとも１の磁性体と、
音源からのデジタル信号を処理する信号処理回路と、
前記信号処理回路が配置される回路基板と、
前記信号処理回路により処理されたデジタル信号に応じて駆動する駆動部と、
前記駆動部の駆動に応じて振動する振動板と、
を備え、
前記信号処理回路は、
前記回路基板の端部に配置される出力部、
を備え、
前記信号線は、前記少なくとも１の磁性体に挿通され、前記出力部と前記第２放音ユニットとに接続され、
前記少なくとも１の磁性体は、前記出力部に隣接して配置される、
ことを特徴とするデジタル駆動型ヘッドホン。
【請求項１２】
前記駆動部は、
前記信号処理回路により処理されたデジタル信号が印加される複数のボイスコイル、
を備え、
前記複数のボイスコイルが、前記振動板を駆動する、
請求項１１記載のデジタル駆動型ヘッドホン。
【請求項１３】
前記信号線は、前記少なくとも１の磁性体に巻き回される、
請求項１１記載のデジタル駆動型ヘッドホン。
【請求項１４】
前記信号線は、複数の支線に分割される、
請求項１１記載のデジタル駆動型ヘッドホン。
【請求項１５】
前記少なくとも１の磁性体の数は、複数である、
請求項１２記載のデジタル駆動型ヘッドホン。
【請求項１６】
前記複数の支線は、
第１支線と、
第２支線と、
を含み、
前記複数の磁性体は、
前記第１支線が挿通される第１磁性体と、
前記第２支線が挿通される第２磁性体と、
を含む、
請求項１４記載のデジタル駆動型ヘッドホン。
【請求項１７】
第１放音ユニットと、
第２放音ユニットと、
前記第１放音ユニットと前記第２放音ユニットとを連結する連結部材と、
信号線と、
を有してなり、
前記第１放音ユニットは、
前記信号線が挿通される磁性体と、
音源からのデジタル信号を処理する信号処理回路と、
前記信号処理回路により処理されたデジタル信号で駆動する駆動部と、
前記駆動部の駆動に応じて振動する振動板と、
前記振動板と前記駆動部とが収納されるハウジングと、
を備え、
前記連結部材は、
軸部、
を備え、
前記ハウジングは、
前記軸部が挿入される軸孔、
を備え、
前記磁性体は、前記軸部内に配置され、
前記信号線は、前記磁性体に挿通され、前記信号処理回路と前記第２放音ユニットとの間に接続される、
ことを特徴とするデジタル駆動型ヘッドホン。